(57)【要約】【課題】運転停止時に羽根を天井に対して垂直にすることにより、羽根に埃が堆積することを低減することができる天井扇風機を提供することを目的としている。【解決手段】羽根３の根元に備えられた羽根３の角度を変えるモータ４と、制御手段６を備え、制御手段６は入力判定手段７と、入力判定手段７の信号により羽根３の角度を決定する角度決定手段９と、モータ４の回転角度を算出する角度指令手段１０とを備え、角度決定手段９は入力判定手段７から停止信号が入力された際に、羽根３の角度が天井に対して垂直になるように羽根３の角度を決定し、角度指令手段１０は、角度決定手段９の信号に基づいてモータ４の回転角度信号を算出し、モータ回転手段１１は、角度指令手段１０の信号により、モータ４を駆動して羽根３を天井に対して垂直方向へ向けることで、停止時に羽根３に塵埃が付着することを低減することができる天井扇風機が得られる。【選択図】図１
2013124606.tif 000002
【特許請求の範囲】
【請求項１】
ファンモータと、このファンモータに接続され風を送る羽根と、この羽根の根元に備えられた羽根の角度を変えるモータと、前記ファンモータの運転を入切する運転切替手段と前記ファンモータとモータを駆動する制御手段を備え、前記制御手段は、前記運転切替手段からの信号が運転信号か停止信号かを判定する入力判定手段と、前記入力判定手段の信号により前記ファンモータを回転させるファン回転手段と、前記入力判定手段の信号により前記羽根の角度を決定する角度決定手段と、前記角度決定手段の信号により前記モータの回転角度を算出する角度指令手段と、前記モータを回転させるモータ回転手段とを備え、前記角度決定手段は、前記入力判定手段が停止信号が入力されことを判定した際に、前記羽根が天井に対して垂直になるように羽根の角度を決定し、前記角度指令手段は、モータの回転角度を算出し、前記モータ回転手段は、前記角度指令手段の算出したモータの回転角度でモータを駆動することを特徴とする天井扇風機。
【請求項２】
モータの回転角度を検知するモータ角度検知手段を備え、角度決定手段に羽根の初期角度を記憶する初期角度記憶手段備え、角度決定手段は入力判定手段から運転信号が入力された際に前記初期角度記憶手段に記憶されている初期角度を羽根の角度として角度指令手段へ出力することを特徴とする請求項１記載の天井扇風機。
【請求項３】
制御手段に、入力判定手段からの停止信号により運転停止の回数を累積する回数累積手段を備え、角度指令手段に回数累積手段の累積値により羽根を回転させる方向を決める回転方向決定手段を備え、前記回転方向決定手段では、累積値が所定回数に達するごとに、モータの回転方向を反転することを特徴とする請求項２記載の天井扇風機。
【請求項４】
ファンモータの回転および停止を検知するファン回転検知手段を備え、制御手段には、前記角度指令手段からの信号と前記モータ角度検知手段からの信号により、モータの回転角度が目標角度かどうかを判断する目標角度判定手段を備え、角度決定手段にはファン回転検知手段からの信号により角度指令手段へ出力するかどうかを判定する出力判定手段を備え、出力決定手段は、前記ファン回転検知手段からの信号が回転停止信号のときのみ，角度指令手段へ羽根の角度を出力することを特徴とする請求項２または３に記載の天井扇風機。
【発明の詳細な説明】
【技術分野】
【０００１】
本発明は、天井扇風機の羽根に塵埃の付着を抑制することに関するものである。
【背景技術】
【０００２】
従来、この種の羽根の清掃装置として、所定の周期で回転羽根を回転させてその羽根に付着した塵埃を脱落させて除去することを特徴とするものが知られていた（例えば特許文献１参照）。
【０００３】
以下、羽根の清掃装置について図８を参照しながら説明する。
【０００４】
図８に示すように、ダクト１０１と、このダクト１０１内にその長手方法に沿って複数の回転羽根１０２と、駆動モータ１０３とにより構成されている。
【０００５】
駆動モータ１０３による回転羽根１０２の正転時、高速回転している回転羽根１０２にダクト１０１内を流れる気流の塵埃が衝突してその表面に塵埃が付着する。回転羽根１０２に付着・堆積した塵埃の量が或る量に達する前に、所定の周期で回転羽根１０２の回転を逆転させるように駆動する。これによって、回転羽根１０２が空気と衝突する領域が剥がれやすくなり、清掃作用が行われ、回転羽根１０２の定期掃除の周期を延長することができる。
【先行技術文献】
【特許文献】
【０００６】
【特許文献１】特開平５−５２３３号公報
【発明の概要】
【発明が解決しようとする課題】
【０００７】
このような従来の図８の羽根の清掃装置では、運転中のみ羽根の清掃を行うものであるため、使用されていない停止中は羽根に埃が堆積してしまう課題があった。
【０００８】
本発明は、上記従来の課題を解決するもので、運転停止時に羽根を天井に対して垂直にすることにより、羽根に埃が堆積することを低減することができる。
【課題を解決するための手段】
【０００９】
本発明の天井扇風機は、上記目的を達成するために、ファンモータと、このファンモータに接続され風を送る羽根と、この羽根の根元に備えられた羽根の角度を変えるモータと、前記ファンモータの運転を入切する運転切替手段と前記ファンモータとモータを駆動する制御手段を備え、前記制御手段は、前記運転切替手段の信号により前記ファンモータを回転させるファン回転手段と、前記運転切替手段の信号により前記モータの回転角度を算出する角度決定手段と、前記角度決定手段の信号により前記モータの回転角度を変更する角度指令手段とを備え、前記角度決定手段は前記運転切替手段から停止信号が入力した際に、前記羽根が天井に対して垂直になるようにモータの回転角度指令を角度指令手段へ出力することを特徴とする構成を有する。
【００１０】
この手段により、角度決定手段へ運転切替手段から停止信号が入力された際に、角度決定手段は、羽根が天井に対して垂直になるモータの回転角度信号を算出し、角度指令手段は、角度決定手段からの出力信号により、モータを駆動して羽根を天井に対して垂直方向へ向けることができ、所期の目的を達成することができる。
【発明の効果】
【００１１】
本発明によれば、ファンモータと、このファンモータに接続され風を送る羽根と、この羽根の根元に備えられた羽根の角度を変えるモータと、前記ファンモータの運転を入切する運転切替手段と前記ファンモータとモータを駆動する制御手段を備え、前記制御手段は、前記運転切替手段からの信号が運転信号か停止信号かを判定する入力判定手段と、前記運入力判定手段の信号により前記ファンモータを回転させるファン回転手段と、前記入力判定手段の信号により前記モータの回転角度を算出する角度決定手段と、前記角度決定手段の信号により前記モータの回転角度を変更する角度指令手段を備え、前記角度決定手段は前記入力判定手段から停止信号が入力した際に、前記羽根が天井に対して垂直になるようにモータの回転角度指令を角度指令手段へ出力することを特徴とする構成を有し、角度決定手段へ入力判定手段から停止信号が入力された際に、角度決定手段は、羽根が天井に対して垂直になるモータの回転角度信号を算出し、角度指令手段は、角度決定手段信号により、モータを駆動して羽根を天井に対して垂直方向へ向けることとなるので、停止時に羽根に塵埃が付着することを低減する天井扇風機を提供できる。
【図面の簡単な説明】
【００１２】
【図１】本発明の実施の形態１の天井扇風機の側面図
【図２】同天井扇風機の制御手段のブロック図
【図３】本発明の実施の形態２の天井扇風機の側面図
【図４】同天井扇風機の制御手段のブロック図
【図５】本発明の実施の形態３の制御手段のブロック図
【図６】本発明の実施の形態４の天井扇風機の側面図
【図７】同天井扇風機の制御手段のブロック図
【図８】従来の天井扇風機の外観図
【発明を実施するための形態】
【００１３】
本発明の請求項１の天井扇風機は、ファンモータと、このファンモータに接続され風を送る羽根と、この羽根の根元に備えられた羽根の角度を変えるモータと、前記ファンモータの運転を入切する運転切替手段と前記ファンモータとモータを駆動する制御手段を備え、前記制御手段は、前記運転切替手段からの信号が運転信号か停止信号かを判定する入力判定手段と、前記入力判定手段の信号により前記ファンモータを回転させるファン回転手段と、前記入力判定手段の信号により前記羽根の角度を決定する角度決定手段と、前記角度決定手段の信号により前記モータの回転角度を算出する角度指令手段と、前記モータを回転させるモータ回転手段とを備え、前記角度決定手段は、前記入力判定手段が停止信号が入力されことを判定した際に、前記羽根が天井に対して垂直になるように羽根の角度を決定し、前記角度指令手段は、モータの回転角度を算出し、前記モータ回転手段は、前記角度指令手段の算出したモータの回転角度でモータを駆動することを特徴とする構成を有する。
【００１４】
これにより、角度決定手段は、入力判定手段から停止信号が入力された際に、羽根が天井に対して垂直になる羽根の角度を決定し、角度指令手段は、角度決定手段の信号により、モータの回転角度を算出して、この回転角度でモータ回転手段を駆動して羽根を天井に対して垂直方向へ向けることとなるので、停止時に羽根に塵埃が付着することを低減するという効果を奏する。
【００１５】
また、請求項２記載の天井扇風機は、モータの回転角度を検知するモータ角度検知手段を備え、角度決定手段に羽根の初期角度を記憶する初期角度記憶手段備え、角度決定手段は入力判定手段から運転信号が入力された際に前記初期角度記憶手段に記憶されている初期角度を羽根の角度として角度指令手段へ出力することを特徴とする構成を有する。
【００１６】
これにより、角度決定手段は入力判定手段から運転信号が入力された際に前記初期角度記憶手段に記憶されている初期角度を角度指令手段へ出力することで、角度指令手段はモータの回転角度を決定することができるので、運転停止時に羽根に塵埃が付着することを低減するとともに、運転開始時には羽根の角度を初期角度に戻すことができるという効果を奏する。
【００１７】
また、請求項３記載の天井扇風機は、制御手段に、入力判定手段からの停止信号により運転停止の回数を累積する回数累積手段を備え、角度指令手段に回数累積手段の累積値により羽根を回転させる方向を決める回転方向決定手段を備え、前記回転方向決定手段では、累積値が所定回数に達するごとに、モータの回転方向を反転することを特徴とする構成を有する。
【００１８】
これにより、回数累積手段にて入力判定手段からの停止信号の回数を累積し、累積値を回転方向決定手段に出力し、角度指令手段は、回転方向決定手段で累積値が所定回数に達するごとに、モータの回転方向を反転し、角度決定手段の信号からモータ回転手段へモータの回転角度を出力することで、所定回数ごとに天井面になる羽根の端面を変えることができるため、運転停止時に羽根の片側端面だけにほこりがつくのを低減するという効果を奏する。
【００１９】
また、請求項４記載の天井扇風機は、ファンモータの回転および停止を検知するファン回転検知手段を備え、制御手段には、前記角度指令手段からの信号と前記モータ角度検知手段からの信号により、モータの回転角度が目標角度かどうかを判断する目標角度判定手段を備え、角度決定手段にはファン回転検知手段からの信号により角度指令手段へ出力するかどうかを判定する出力判定手段を備え、出力決定手段は、前記ファン回転検知手段からの信号が回転停止信号のときのみ，角度指令手段へ羽根の角度を出力することを特徴とする構成を有する。
【００２０】
これにより、ファン回転検知手段により，ファンモータの回転および停止を検知し、検知信号を前記出力判定手段へ出力し、前記出力判定手段では、前記ファン回転検知手段の検知信号が、回転停止信号のときのみ、前記角度決定手段は、前記角度指令手段へ決定した羽根の角度を出力することで、角度指令手段は、ファン停止中のみモータの回転角度を算出して、モータ回転手段によってモータの回転を行うことができるので、ファン回転中に羽根の回転をすることを防ぎ、羽根の破損を防止する効果を奏する。
【００２１】
以下、本発明の実施の形態について図面を参照しながら説明する。
【００２２】
（実施の形態１）
図１は本願発明における天井扇風機の構成を示す側面図、図２は制御手段のブロック図である。図１、図２に示すように、天井に吊り下げられた本体１のファンモータ２には放射線状に羽根３が連結されており、羽根３の根元には羽根３の角度を変更するためのモータ４と、吊り下げられた本体１の下面には、運転切替手段５が設けられており、運転切替手段５は、リモコンなどから入力された信号に応じてファンモータ２の運転入り切りを行う。本体１内に設けた制御手段６は、前記運転切替手段５からの信号が運転信号か停止信号かを判定する入力判定手段７と、前記入力判定手段７により前記ファンモータ２の運転および停止を行うファン回転手段８と、前記入力判定手段７により前記羽根３の角度を決定する角度決定手段９と、前記角度決定手段９の信号からモータの回転角度を算出する角度指令手段１０と、前記回転角度を角度指令値としてモータ４を駆動するモータ回転手段１１を備えている。
【００２３】
なお、角度決定手段９は、天井扇風機の運転と停止に合わせて羽根３の角度を決定するもので、角度指令手段は、決定された羽根３の角度をモータ４の目標位置として現在位置との差により、回転角度信号を出力する。
【００２４】
上記構成において、運転停止時に羽根３の角度が変更される動作について図２のブロック図を用いて説明する。
【００２５】
前記運転切替手段５から前記入力判定手段７に停止信号が入力されると、前記入力判定手段７は、前記ファン回転手段８と前記角度決定手段９へ信号を出力する。前記ファン回転手段８では、停止信号が入力されるとファンモータ２の回転を停止する。また、前記角度決定手段９に停止信号が入力されると、たとえば羽根が天井に対して水平な状態を０度として、羽根が天井に対して垂直な状態を９０度として羽根の角度を決定する。角度指令手段１０では、右もしくは左方向へ９０度回転する角度信号を角度指令手段１０へ出力する。角度指令手段１０の信号によって、モータ回転手段１１はモータ４の回転を行なう。
【００２６】
これにより、運転停止時に羽根を天井に対して水平状態から、天井に対して垂直方向へ角度を変更することができ、天井面に向いている羽根の面積が小さくなり、ほこりが堆積することを防ぐことができる。
【００２７】
（実施の形態２）
次に、本発明の実施の形態２について図３、４を参照しながら説明する。なお、実施の形態１と同一のものは同一番号を付し、その詳細な説明を省略する。図３は天井扇風機の構成を示す側面図で、図４は制御手段のブロック図である。
【００２８】
図３、４に示すように、モータ４の根元にはモータの回転角度を検知するモータ角度検知手段１２が備えられており、角度決定手段９には、初期角度記憶手段１３が備えられた構成となっている。この構成において入力判定手段７に運転信号が入力された場合に、羽根の角度が初期角度に戻る動作について説明する。
【００２９】
なお、モータ角度検知手段１２の一例として、ロータリエンコーダがある。
【００３０】
前記運転切替手段５から前記入力判定手段７に運転信号が入力されると、前記入力判定手段７は、前記ファン回転手段８と、前記角度決定手段９へ信号を出力する。前記ファン回転手段８では、運転信号が入力されると、ファンモータ２の回転をする。前記角度決定手段９に運転信号が入力されると、初期角度記憶手段１３に記憶されている初期角度を羽根３の角度と決定する。そして、角度指令手段１０では、羽根３の角度をモータ４の目標角度とし、前記角度指令手段１０は前記モータ角度検知手段１２からのモータの現在角度と目標角度の差をモータ回転角度指令として、モータ回転手段１１へ出力する。モータ回転手段１１では、入力されたモータ回転角度信号に従いモータ４を回転させる。
【００３１】
初期角度記憶手段１３で記憶されている羽根の角度は例えば、羽根３の天井に対して水平な角度を０°とする。
【００３２】
これにより、運転時に羽根を天井に対して水平状態に戻し、通常運転を行うことができる。
【００３３】
（実施の形態３）
次に、本発明の実施の形態３について図５を参照しながら説明する。なお、実施の形態１と同一のものは同一番号を付し、その詳細な説明を省略する。図５は制御手段のブロック図である。
【００３４】
図５に示すように、制御手段６に羽根３の回転回数を累積する回数累積手段１４を備え、角度指令手段１０に前記回数累積手段１４の累積値により、羽根３の回転方向を決定する回転方向決定手段１５を備えている。
【００３５】
上記構成において、入力判定手段７からの停止信号の回数により、羽根３の回転方向を変更する動作について説明する。
【００３６】
回数累積手段１４は入力判定手段７から停止信号が入力されると、現在の累積値に１を足し、累積値を回転方向決定手段１５へ出力する。一方、運転信号が入力されると、現在の値のまま、累積値を回転方向決定手段１５へ出力する。回転方向決定手段１５は累積値が所定値に達するごとに回転方向を反転させる。角度指令手段１０は、反転させた方向に対応させて目標角度を選定し、モータの現在角度との差を算出してモータの回転角度指令として、モータ回転手段１１へ出力する。
【００３７】
目標角度は、たとえば、羽根３の水平角度を０度として、右回転を＋９０°とし、左回転を−９０°とする。
【００３８】
これにより、転停止時に羽根の片側端面だけにほこりがつくのを低減することができる。
【００３９】
（実施の形態４）
次に、本発明の実施の形態４について図面を参照しながら説明する。なお、実施の形態１と同一のものは同一番号を付し、その詳細な説明を省略する。図５は天井扇風機の構成を示す側面図で、図６は制御手段のブロック図である。
【００４０】
図６、７に示すように天井に吊り下げられた本体１のファンモータ２の近傍には、ファンモータの回転および停止を検知するファン回転検知手段１６が設けられており、制御手段６には、角度指令手段１０のモータ回転角度指令とモータ角度検知手段１２からの角度信号により、モータ４の回転角度が目標角度になっているかどうかを判定する目標角度判定手段１７が備えられている。また、角度決定手段９には、ファン回転検知手段１６からの信号により角度指令手段１０へ羽根３の角度を出力するかどうかを判定する出力判定手段１８が備えられている。
【００４１】
なお、ファン回転検知手段１６の一例として、磁気センサがある。
【００４２】
上記構成において、モータ４の回転がファンモータ２の回転が停止したときのみ行われる動作について図４のブロック図を用いてに停止信号が入力された場合と運転信号が入力された場合に分けて説明する。
【００４３】
まず、入力判定手段７に停止信号が入力されると、入力判定手段７は前記ファン回転手段８と、角度決定手段９へ停止信号を出力する。ファン回転手段８は、停止信号が入力されるとファンモータ２へ停止信号を出力することで、ファンモータ２の運転を停止させる。ファン回転検知手段１６はファンモータ２の回転を検知している間は、出力判定手段１８へ回転信号を出力し、回転を検知しなくなると回転停止信号を出力する。角度決定手段９は、出力判定手段１８によりファン回転検知手段１６からの回転停止信号が入力されて時のみ、角度指令手段１０へ羽根３の角度を出力する。
【００４４】
これにより、ファンモータ２が停止したときのみ角度指令手段１０はモータ４の回転角度を算出してモータ４を回転させることができる。
【００４５】
次に、入力判定手段７に運転信号が入力されると、入力判定手段７はファン回転手段８と角度決定手段９へ運転信号を出力する。角度決定手段９は、入力判定手段７からの運転信号を受けても、出力判定手段１８にファン回転検知手段１６からの停止信号が入力されているときのみ、初期角度記憶手段１３の初期角度を角度指令手段１０へ出力し、角度指令手段１０は、初期角度を目標角度としモータ４の現在角度との差を算出してモータ４の回転角度とする。そして、モータ回転手段１１へ出力することで、モータ４は初期角度になるように羽根３を回転させる。モータ４の回転角度は逐次モータ角度検知手段１２により検知し、目標角度判定手段１７へ出力する。目標角度判定手段１７では、角度指令手段１０の目標角度と、モータ角度検知手段からの回転角度を逐次比較し、モータ角度検知手段１２からの回転角度が目標角度と一致すると、ファン回転手段８へ一致信号を出力し、ファン回転手段８は、一致信号が入力されたときのみ、ファンモータ２の回転を開始する。
【００４６】
これにより、ファンモータ２が停止しているときのみモータ４を回転させて羽根３を初期角度へ回転させて、初期角度に達すると、ファンモータ２の回転を開始することができ、ファンモータ２が回転中に羽根３の角度を変えることがなくなるため、羽根３の破損を防ぐことができる。
【産業上の利用可能性】
【００４７】
天井扇風機の羽根に塵埃の付着を抑制することに関するものであるが、これに限定されるものではなく水平にプロペラファン配置した送風装置等にも適用できる。
【符号の説明】
【００４８】
１    本体
２    ファンモータ
３    羽根
４    モータ
５    運転切替手段
６    制御手段
７    入力判定手段
８    ファン回転手段
９    角度決定手段
１０  角度指令手段
１１  モータ回転手段
１２  モータ角度検知手段
１３  初期角度記憶手段
１４  回数累積手段
１５  回転方向決定手段
１６  ファン回転検知手段
１７  目標角度判定手段
１８  出力判定手段
【図１】
2013124606.tif 000003
【図２】
2013124606.tif 000004
【図３】
2013124606.tif 000005
【図４】
2013124606.tif 000006
【図５】
2013124606.tif 000007
【図６】
2013124606.tif 000008
【図７】
2013124606.tif 000009
【図８】
2013124606.tif 000010